(57)【要約】      （修正有）【課題】情報媒体の貼着と除去が容易であって繰り返しの使用が可能でありながら、より簡単な製造方法で製造することのできる展示または掲示パネル用台板を提供する。【解決手段】展示または掲示パネル用台板は、基材である発泡樹脂板１の少なくとも一方の面に情報媒体貼着層２を積層している。前記情報媒体貼着層２は、基材樹脂シート３とその上に積層された発泡樹脂層４とを有し、前記発泡樹脂層４は、−５０〜０℃のガラス転移温度を持つ合成樹脂で構成されており、かつ表面に直径５〜１００μｍの陥没孔を１００〜１０００個／ｍｍ２の割合で有するものである。情報媒体貼着層２は基材樹脂シート３側を発泡樹脂板１側として積層されており、発泡樹脂層４側が情報媒体貼着面として用いられる。【選択図】図１
0003188826.tif 000002
【実用新案登録請求の範囲】
【請求項１】
基材である発泡樹脂板の少なくとも一方の面にメディア貼着層を積層した展示または掲示パネル用台板であって、前記メディア貼着層は、基材樹脂シートとその上に積層された発泡樹脂層とを有し、前記発泡樹脂層は、−５０〜０℃のガラス転移温度を持つ合成樹脂で構成されており、かつ表面に直径５〜１００μｍの陥没孔を１００〜１０００個／ｍｍ２の割合で有するものであり、前記メディア貼着層は前記基材樹脂シート側を前記発泡樹脂板側として積層されており、前記発泡樹脂層側がメディア貼着面として用いられることを特徴とする展示または掲示パネル用台板。
【請求項２】
前記発泡樹脂層の上に剥離フィルムが積層されていることを特徴とする請求項１に記載の展示または掲示パネル用台板。
【請求項３】
前記剥離フィルムが無色で透明な樹脂フィルムまたは有色で半透明な樹脂フィルムであることを特徴とする請求項２に記載の展示または掲示パネル用台板。
【請求項４】
請求項１に記載の展示または掲示パネル用台板または請求項２または３に記載の展示または掲示パネル用台板から剥離フィルムを除去した展示または掲示パネルまたは掲示用台板における前記発泡樹脂層の表面に、展示用の写真やポスター、掲示用の印刷物やメモなどのメディアを貼着した展示または掲示パネル。
【考案の詳細な説明】
【技術分野】
【０００１】
本考案は、展示用の写真やポスター、掲示用の印刷物やメモなどのメディアを貼着して展示または掲示パネルを作成するときに用いられる展示または掲示パネル用台板、および該展示または掲示パネル用台板にメディアを貼着した展示または掲示パネルに関する。
【背景技術】
【０００２】
写真やポスター、メモなどのメディアを台板に貼着して展示または掲示パネルとすることが行われる。展示または掲示パネル用台板には、発泡樹脂板などを基材とし、その上に粘着剤を塗布して粘着剤層を形成し、その上に、メディアを貼着するまでの間、粘着層表面を保護するための離型シートを積層したものが、通常、用いられる。
【０００３】
一般に、粘着剤層を備えた展示または掲示パネル用台板の場合、メモ等のメディアを貼着した後に、その貼着したメディアを取り外すことは困難であり、メディアを貼り換えて繰り返し使用することは必ずしも容易でない。その不都合を解決した展示パネル用台板として、特許文献１には、発泡スチロール製のボード本体と、該ボード本体の一方の面に形成した吸着層と、該吸着層に剥離自在に貼着した剥離紙とを具備した展示パネル用台板であって、前記吸着層を、弱粘着性を有するインクを用い前記ボード本体に多数個の吸盤体を印刷することで形成したものが記載されている。上記の展示パネル用台板では、吸盤の吸引力によって各種のメディアを展示パネル用台板に吸着させて係止可能としており、取り付け時には、強く押し付けるのみでよく、また、係止してあるメディアを取り外す場合には、係止したメディアをめくり取るのみでよく、従って、メディアの着脱を容易に行うことでき、かつ、繰り返しの使用が可能となる。
【０００４】
一方、表面保護を望む物品の表面に貼付可能であるにもかかわらず、除去した後にも物品側に汚れを残存させることのない表面保護フィルムが特許文献２に提案されている。該表面保護フィルムは、保護層と、該保護層の少なくとも片面に積層された発泡樹脂層とを、有する表面保護フィルムであって、前記発泡樹脂層が、−５０〜０℃のガラス転移温度を持つ合成樹脂で構成されており、かつ表面に直径５〜１００μｍの陥没孔を１００〜１０００個／ｍｍ２の割合で有することを特徴としている。この表面保護フィルムを用いることにより、除去可能でありかつ除去後に汚れを残存させることのない保護層で物品の表面を保持することができる。
【先行技術文献】
【特許文献】
【０００５】
【特許文献１】実用新案登録第３１５５５４１号公報
【特許文献２】特開２００４−９０３３７号公報
【考案の開示】
【考案が解決しようとする課題】
【０００６】
特許文献１に記載される展示パネル用台板は、繰り返しの使用が容易であるという利点はあるが、弱粘着性を有するインクを用い、かつ印刷技術を用いて吸盤体を形成することが必要であり、製造が容易ではない。
【０００７】
本考案は、上記の事情に鑑みてなされたものであり、メディアの貼着と除去が容易であって繰り返しの使用が可能でありながら、より簡単な製造方法で製造することのできる展示または掲示パネル用台板を提供することを課題とする。また、前記展示または掲示パネル用台板に展示用の写真やポスター、掲示用の印刷物やメモなどのメディアを貼着した展示または掲示パネルを提供することを課題とする。
【課題を解決するための手段】
【０００８】
上記の課題を解決すべく、本考案者は多くの実験を繰り返し行った結果、前記した特許文献２に記載される表面保護フィルムで用いられている保護層の片面に積層された発泡樹脂層を、メディアの貼着面として用いるようにすることで、製造が簡単でありながら、メディアの貼着と除去が容易であり、かつ繰り返しの使用が可能な展示または掲示パネル用台板を入手できることを知見した。
【０００９】
本考案は、上記の知見に基づくものであり、本考案による展示または掲示パネル用台板は、基本的に、基材である発泡樹脂板の少なくとも一方の面にメディア貼着層を積層した展示または掲示パネル用台板であって、前記メディア貼着層は、基材樹脂シートとその上に積層された発泡樹脂層とを有し、前記発泡樹脂層は、−５０〜０℃のガラス転移温度を持つ合成樹脂で構成されており、かつ表面に直径５〜１００μｍの陥没孔を１００〜１０００個／ｍｍ２の割合で有するものであり、前記メディア貼着層は前記基材樹脂シート側を前記発泡樹脂板側として積層されており、前記発泡樹脂層側がメディア貼着面として用いられることを特徴とする。
【００１０】
本考案による展示または掲示パネル用台板は、発泡樹脂板の一方の面に、基材樹脂シートとその上に積層された特定の発泡樹脂層とからなるメディア貼着層を積層するだけであり、その製造は容易である。また、前記発泡樹脂層は、特許文献２に記載されるものであって、−５０〜０℃のガラス転移温度を持つ合成樹脂で構成されており、かつ表面に直径５〜１００μｍの陥没孔を１００〜１０００個／ｍｍ２の割合で有するものであり、本考案者らの実験によれば、展示用の写真やポスター、掲示用の印刷物やメモなどのメディアを単にその面に接触させてかるく押すだけで、確実に貼着することができた。また、発泡樹脂層とメディアとの界面に先の尖鋭な部材を差し込み、持ち上げることで容易にメディアを除去することができた。メディアの裏面に発泡樹脂層の一部が残存することもなく、その逆も生じなかった。再度、再再度、等の繰り返しの使用時にも、貼着および除去の機能が低下することもなかった。それにより、本考案による展示または掲示パネル用台板は、展示または掲示パネル用の台紙としてきわめて有効性が高いことがわかった。
【００１１】
本考案による展示または掲示パネル用台板の好ましい態様では、前記発泡樹脂層の上に剥離フィルムが積層されていることを特徴とする。この態様では、使用前などの非使用時に、発泡樹脂層の上に異物が付着するのを回避することかでき、展示または掲示パネルとして用いるときの見た目の美しさを確保することができる。
【００１２】
より好ましい態様では、前記剥離フィルムが無色で透明な樹脂フィルムまたは有色で半透明な樹脂フィルムであることを特徴とする。この態様では、メディアを発泡樹脂層の上に貼着した後に、再度、無色で透明な樹脂フィルムまたは有色で半透明な樹脂フィルムである剥離フィルムを発泡樹脂層の上に配置することで、剥離フィルムにメディアに対する保護シートとしての機能を持たせることが可能であり、かつ、メディアに記載された写真情報や文字情報等の読み取りを妨げることがないので、その状態で、展示または掲示パネルとして所望の場所にそのまま設置することができる。
【００１３】
本考案は、さらに、上記の展示または掲示パネル用台板における前記発泡樹脂層の表面に、展示用の写真やポスター、掲示用の印刷物やメモなどのメディアを貼着した展示または掲示パネルをも開示する。
【考案の効果】
【００１４】
本考案によれば、メディアの貼着と除去が容易であって繰り返しの使用が可能でありながら、より簡単な製造方法で製造することのできる展示または掲示パネル用台板が得られる。また、前記展示または掲示パネル用台板に展示用の写真やポスター、掲示用の印刷物やメモなどのメディアを貼着した展示または掲示パネルも得られる。
【図面の簡単な説明】
【００１５】
【図１】本考案による展示または掲示パネル用台板の要部を示す拡大断面図。
【図２】本考案による展示または掲示パネル用台板にメディアを貼着した展示または掲示パネルの一例を示す斜視図。
【考案を実施するための形態】
【００１６】
以下、本考案を実施の形態に基づき説明する。図１は、本考案による展示または掲示パネル用台板Ａの要部を示す拡大断面図であり、図２は、本考案による展示または掲示パネル用台板Ａにメディアを貼着した展示または掲示パネルＢの一例を示す斜視図である。展示または掲示パネル用台板Ａは、基材としての発泡樹脂板１と、その上に積層したメディア貼着層２と、その上に必要に応じて配置される剥離フィルム５、とがこの順に積層されている。
【００１７】
発泡樹脂板１は、展示または掲示パネル用台板Ａに所要の保形性を与えるだけの強度を備えることを条件に、できるだけ低密度の発泡樹脂であることが、軽量化の観点から好ましい。好ましくは発泡倍数は１０〜２５倍程度である。厚みは、２〜１５ｍｍ程度である。発泡樹脂板１を構成する樹脂材料は任意であり制限はない。例として、ポリスチレン系樹脂、ポリエチレン系、ポリプロピレン系樹脂、アクリル系樹脂等を挙げることができる。
【００１８】
発泡樹脂板１とメディア貼着層２を積層する方法は、特に限定されず、例えば、間に粘着剤や接着剤を介在させて両者を積層する方法が挙げられる。粘着剤としてはアクリル系粘着剤、酢酸ビニル系粘着剤などが挙げられる。接着剤としては、ウレタン系接着剤、アクリル系接着剤などが挙げられる。また、発泡樹脂板１とメディア貼着層２を構成する基材樹脂シート３とが同じ樹脂材料である場合は、熱ラミネートにより積層する方法が挙げられる。メディア貼着層２は、発泡樹脂板１の一方の面に積層してもよいし、両方の面に積層してもよい。
【００１９】
発泡樹脂板１としては、例えば、発泡ポリスチレンシート製ディスプレイパネルである積水化成品工業社製エスレンウッドパネル、品番：ＫＭ５０１８（素板、発泡倍数１８倍、厚さ５．０ｍｍ）、ＰＡ５０１０（片面粘着剤塗付、厚さ５．０ｍｍ）、ＮＫ５（両面ケント紙貼り、厚さ５．０ｍｍ）等が挙げられる。
【００２０】
メディア貼着層２は、基材樹脂シート３とその上に積層した発泡樹脂層４で構成される。基材樹脂シート３は、均一な厚みの発泡樹脂層４を安定した状態で存在させるために必要なものである。基材樹脂シート３を構成する樹脂材料としては、例として、ポリスチレン系樹脂、ポリエチレン系、ポリプロピレン系樹脂、アクリル系樹脂等を挙げることができる。基材樹脂シート３の厚みは、５〜１０００μｍ程度であってよい。
【００２１】
発泡樹脂層４は、−５０〜０℃のガラス転移温度を持つ合成樹脂で構成されており、かつ表面に直径５〜１００μｍの陥没孔を１００〜１０００個／ｍｍ２の割合で有するものであればよく、詳細には、前記した特許文献２に記載される。
【００２２】
〔ガラス転移温度の測定方法〕
ＪＩＳ  Ｋ７１２１：１９８７「プラスチックの転移温度測定方法」に記載の方法により測定する。また、試験片の状態調節は、「一定の熱処理を行った後、ガラス転移温度を測定する場合」で測定する。即ち、示差走査熱量計装置ＤＳＣ２００型（セイコー電子工業社製）を用いる。測定容器に試料１０ｍｇを充填する。窒素ガス流量３０ｍｌ／分の条件で、１０℃／分の昇温速度で昇温して、１０分間保持する。その後、試料を５℃／分の冷却速度で急冷する熱処理を行う。次に、窒素ガス流量３０ｍｌ／分の条件で、１０℃／分の昇温速度で昇温し、ガラス転移温度を測定し、得られる中間点ガラス転移温度をガラス転移点とする。
【００２３】
〔陥没孔の測定方法〕
陥没孔の直径及び個数割合は、発泡樹脂層の表面を光学顕微鏡にて観察して測定した。
発泡樹脂層４は、そのメディア貼着面である表面に陥没孔を有している。陥没孔は、発泡樹脂層中の気泡が表面に現れたものであり、ミクロ吸盤として機能する。本考案で使用される発泡樹脂層４は、表面に直径５〜１００μｍの陥没孔を１００〜１０００個、好ましくは２００〜３００個の割合で有するものである。特に、直径５〜１００μｍの陥没孔のうち、２０〜３０μｍのものが８割以上であるものが特に好ましい。直径が小さい陥没孔が多いとミクロ吸盤としての吸着性に劣り、逆に大きい陥没孔が多いと均一に吸着しない場合がある。また、単位面積当たりの陥没孔が少なすぎると吸着性が劣り、逆に多すぎると均一に吸着しない場合がある。
【００２４】
発泡樹脂層４を構成する合成樹脂としては、−５０〜０℃（好ましくは−４５〜−１０℃、より好ましくは−４０〜−２５℃）のガラス転移温度（Ｔｇ）を持つ合成樹脂であれば特に限定されない。Ｔｇの低い柔らかい合成樹脂を用いることにより、吸着性を発現させることが可能な発泡樹脂層４を形成することができる。−５０〜０℃のＴｇを持つ合成樹脂としては、アクリル系樹脂、ポリエチレン系樹脂、塩化ビニル系樹脂、ウレタン系樹脂などが挙げられる。発泡樹脂層４は、単層で形成してもよいし、あるいは多層で形成してもよい。発泡樹脂層４の厚みは、用途に合わせればよく、好ましくは２５〜１０００μｍ、より好ましくは５０〜３００μｍである。
【００２５】
発泡樹脂層４を基材樹脂シート３に積層する方法は、特に限定されず、例えば、予め製造しておいた発泡樹脂層４と基材樹脂シート３とを、間に接着剤を介在させて両者を積層する方法が挙げられる。接着剤としては、ウレタン系接着剤、アクリル系接着剤などが挙げられる。
【００２６】
メディア貼着層２としては、例えば、ゼオン化成社製ゼオンＡＬシート、ユポ・コーポレーション社製ユポ・サクションタック等が挙げられる。
【００２７】
剥離フィルム５は、非使用時での発泡樹脂層４を保護するためのものであり、例えば、ポリエチレンフィルム、塩化ビニルフィルム、ポリメチルペンテンフィルムなどが挙げられる。剥離フィルム５の厚みは、好ましくは１０〜１０００μｍである。剥離フィルム５の厚さが薄すぎると、剥離フィルム５を剥離する際に破断することがあり、１０００μｍを超えるのはオーバースペックである。剥離フィルム５が透明な無色で透明な樹脂フィルムまたは有色で半透明な樹脂フィルムであることは好ましく、この場合には、剥離フィルム５を展示または掲示パネル用台板Ａに貼着したメディア１０に対する保護シートとしても用いることができる。
【００２８】
図２は、図１に示した展示または掲示パネル用台板Ａを用いた展示または掲示パネルＢの一例を示している。この例では、矩形状である展示または掲示パネル用台板Ａの４周に枠材６が嵌めこまれている。そして、前記剥離フィルム５は、前記発泡樹脂層４の前記枠材６で覆われていない領域を覆うようにして、発泡樹脂層４の上に積層されている。使用に当たっては、最初に、剥離フィルム５を剥離する。剥離したことで表面が露出した状態となった発泡樹脂層４の上に、適宜のメディア１０を配置し、軽く押し付ける。それにより、メディア１０の展示または掲示のための展示または掲示パネルＢが完成する。剥離フィルム５が無色で透明な樹脂フィルムまたは有色で半透明な樹脂フィルムである場合には、メディア１０を貼り付けた後に、再度、剥離フィルム５を当初の位置に貼り付ける。それにより、メディア１０に記載された写真情報や文字情報等の読み取りを妨げることなく、メディア１０が保護されるとともに、メディア１０が貼着されていない発泡樹脂層４の領域に異物が付着するのを回避することができる。
【符号の説明】
【００２９】
Ａ…展示または掲示パネル用台板、Ｂ…展示または掲示パネル、１…発泡樹脂板、２…メディア貼着層、３…基材樹脂シート、４…発泡樹脂層、５…剥離フィルム。
【図１】
0003188826.tif 000003
【図２】
0003188826.tif 000004
【手続補正書】
【提出日】平成25年11月25日(2013.11.25)
【手続補正１】
【補正対象書類名】明細書
【補正対象項目名】全文
【補正方法】変更
【補正の内容】
【考案の詳細な説明】
【技術分野】
【０００１】
本考案は、展示用の写真やポスター、掲示用の印刷物やメモなどの情報媒体を貼着して展示または掲示パネルを作成するときに用いられる展示または掲示パネル用台板、および該展示または掲示パネル用台板に情報媒体を貼着した展示または掲示パネルに関する。
【背景技術】
【０００２】
写真やポスター、メモなどの情報媒体を台板に貼着して展示または掲示パネルとすることが行われる。展示または掲示パネル用台板には、発泡樹脂板などを基材とし、その上に粘着剤を塗布して粘着剤層を形成し、その上に、情報媒体を貼着するまでの間、粘着層表面を保護するための離型シートを積層したものが、通常、用いられる。
【０００３】
一般に、粘着剤層を備えた展示または掲示パネル用台板の場合、メモ等の情報媒体を貼着した後に、その貼着した情報媒体を取り外すことは困難であり、情報媒体を貼り換えて繰り返し使用することは必ずしも容易でない。その不都合を解決した展示パネル用台板として、特許文献１には、発泡スチロール製のボード本体と、該ボード本体の一方の面に形成した吸着層と、該吸着層に剥離自在に貼着した剥離紙とを具備した展示パネル用台板であって、前記吸着層を、弱粘着性を有するインクを用い前記ボード本体に多数個の吸盤体を印刷することで形成したものが記載されている。上記の展示パネル用台板では、吸盤の吸引力によって各種の情報媒体を展示パネル用台板に吸着させて係止可能としており、取り付け時には、強く押し付けるのみでよく、また、係止してある情報媒体を取り外す場合には、係止した情報媒体をめくり取るのみでよく、従って、情報媒体の着脱を容易に行うことでき、かつ、繰り返しの使用が可能となる。
【０００４】
一方、表面保護を望む物品の表面に貼付可能であるにもかかわらず、除去した後にも物品側に汚れを残存させることのない表面保護フィルムが特許文献２に提案されている。該表面保護フィルムは、保護層と、該保護層の少なくとも片面に積層された発泡樹脂層とを、有する表面保護フィルムであって、前記発泡樹脂層が、−５０〜０℃のガラス転移温度を持つ合成樹脂で構成されており、かつ表面に直径５〜１００μｍの陥没孔を１００〜１０００個／ｍｍ２の割合で有することを特徴としている。この表面保護フィルムを用いることにより、除去可能でありかつ除去後に汚れを残存させることのない保護層で物品の表面を保持することができる。
【先行技術文献】
【特許文献】
【０００５】
【特許文献１】実用新案登録第３１５５５４１号公報
【特許文献２】特開２００４−９０３３７号公報
【考案の開示】
【考案が解決しようとする課題】
【０００６】
特許文献１に記載される展示パネル用台板は、繰り返しの使用が容易であるという利点はあるが、弱粘着性を有するインクを用い、かつ印刷技術を用いて吸盤体を形成することが必要であり、製造が容易ではない。
【０００７】
本考案は、上記の事情に鑑みてなされたものであり、情報媒体の貼着と除去が容易であって繰り返しの使用が可能でありながら、より簡単な製造方法で製造することのできる展示または掲示パネル用台板を提供することを課題とする。また、前記展示または掲示パネル用台板に展示用の写真やポスター、掲示用の印刷物やメモなどの情報媒体を貼着した展示または掲示パネルを提供することを課題とする。
【課題を解決するための手段】
【０００８】
上記の課題を解決すべく、本考案者は多くの実験を繰り返し行った結果、前記した特許文献２に記載される表面保護フィルムで用いられている保護層の片面に積層された発泡樹脂層を、情報媒体の貼着面として用いるようにすることで、製造が簡単でありながら、情報媒体の貼着と除去が容易であり、かつ繰り返しの使用が可能な展示または掲示パネル用台板を入手できることを知見した。
【０００９】
本考案は、上記の知見に基づくものであり、本考案による展示または掲示パネル用台板は、基本的に、基材である発泡樹脂板の少なくとも一方の面に情報媒体貼着層を積層した展示または掲示パネル用台板であって、前記情報媒体貼着層は、基材樹脂シートとその上に積層された発泡樹脂層とを有し、前記発泡樹脂層は、−５０〜０℃のガラス転移温度を持つ合成樹脂で構成されており、かつ表面に直径５〜１００μｍの陥没孔を１００〜１０００個／ｍｍ２の割合で有するものであり、前記情報媒体貼着層は前記基材樹脂シート側を前記発泡樹脂板側として積層されており、前記発泡樹脂層側が情報媒体貼着面として用いられることを特徴とする。
【００１０】
本考案による展示または掲示パネル用台板は、発泡樹脂板の一方の面に、基材樹脂シートとその上に積層された特定の発泡樹脂層とからなる情報媒体貼着層を積層するだけであり、その製造は容易である。また、前記発泡樹脂層は、特許文献２に記載されるものであって、−５０〜０℃のガラス転移温度を持つ合成樹脂で構成されており、かつ表面に直径５〜１００μｍの陥没孔を１００〜１０００個／ｍｍ２の割合で有するものであり、本考案者らの実験によれば、展示用の写真やポスター、掲示用の印刷物やメモなどの情報媒体を単にその面に接触させてかるく押すだけで、確実に貼着することができた。また、発泡樹脂層と情報媒体との界面に先の尖鋭な部材を差し込み、持ち上げることで容易に情報媒体を除去することができた。情報媒体の裏面に発泡樹脂層の一部が残存することもなく、その逆も生じなかった。再度、再再度、等の繰り返しの使用時にも、貼着および除去の機能が低下することもなかった。それにより、本考案による展示または掲示パネル用台板は、展示または掲示パネル用の台紙としてきわめて有効性が高いことがわかった。
【００１１】
本考案による展示または掲示パネル用台板の好ましい態様では、前記発泡樹脂層の上に剥離フィルムが積層されていることを特徴とする。この態様では、使用前などの非使用時に、発泡樹脂層の上に異物が付着するのを回避することかでき、展示または掲示パネルとして用いるときの見た目の美しさを確保することができる。
【００１２】
より好ましい態様では、前記剥離フィルムが無色で透明な樹脂フィルムまたは有色で半透明な樹脂フィルムであることを特徴とする。この態様では、情報媒体を発泡樹脂層の上に貼着した後に、再度、無色で透明な樹脂フィルムまたは有色で半透明な樹脂フィルムである剥離フィルムを発泡樹脂層の上に配置することで、剥離フィルムに情報媒体に対する保護シートとしての機能を持たせることが可能であり、かつ、情報媒体に記載された写真情報や文字情報等の読み取りを妨げることがないので、その状態で、展示または掲示パネルとして所望の場所にそのまま設置することができる。
【００１３】
本考案は、さらに、上記の展示または掲示パネル用台板における前記発泡樹脂層の表面に、展示用の写真やポスター、掲示用の印刷物やメモなどの情報媒体を貼着した展示または掲示パネルをも開示する。
【考案の効果】
【００１４】
本考案によれば、情報媒体の貼着と除去が容易であって繰り返しの使用が可能でありながら、より簡単な製造方法で製造することのできる展示または掲示パネル用台板が得られる。また、前記展示または掲示パネル用台板に展示用の写真やポスター、掲示用の印刷物やメモなどの情報媒体を貼着した展示または掲示パネルも得られる。
【図面の簡単な説明】
【００１５】
【図１】本考案による展示または掲示パネル用台板の要部を示す拡大断面図。
【図２】本考案による展示または掲示パネル用台板に情報媒体を貼着した展示または掲示パネルの一例を示す斜視図。
【考案を実施するための形態】
【００１６】
以下、本考案を実施の形態に基づき説明する。図１は、本考案による展示または掲示パネル用台板Ａの要部を示す拡大断面図であり、図２は、本考案による展示または掲示パネル用台板Ａに情報媒体を貼着した展示または掲示パネルＢの一例を示す斜視図である。展示または掲示パネル用台板Ａは、基材としての発泡樹脂板１と、その上に積層した情報媒体貼着層２と、その上に必要に応じて配置される剥離フィルム５、とがこの順に積層されている。
【００１７】
発泡樹脂板１は、展示または掲示パネル用台板Ａに所要の保形性を与えるだけの強度を備えることを条件に、できるだけ低密度の発泡樹脂であることが、軽量化の観点から好ましい。好ましくは発泡倍数は１０〜２５倍程度である。厚みは、２〜１５ｍｍ程度である。発泡樹脂板１を構成する樹脂材料は任意であり制限はない。例として、ポリスチレン系樹脂、ポリエチレン系、ポリプロピレン系樹脂、アクリル系樹脂等を挙げることができる。
【００１８】
発泡樹脂板１と情報媒体貼着層２を積層する方法は、特に限定されず、例えば、間に粘着剤や接着剤を介在させて両者を積層する方法が挙げられる。粘着剤としてはアクリル系粘着剤、酢酸ビニル系粘着剤などが挙げられる。接着剤としては、ウレタン系接着剤、アクリル系接着剤などが挙げられる。また、発泡樹脂板１と情報媒体貼着層２を構成する基材樹脂シート３とが同じ樹脂材料である場合は、熱ラミネートにより積層する方法が挙げられる。情報媒体貼着層２は、発泡樹脂板１の一方の面に積層してもよいし、両方の面に積層してもよい。
【００１９】
本考案の実施に当たり、本願出願人は、発泡樹脂板１として、発泡ポリスチレンシート製ディスプレイパネルである積水化成品工業社製エスレンウッドパネル、品番：ＫＭ５０１８（素板、発泡倍数１８倍、厚さ５．０ｍｍ）、および、ＰＡ５０１０（片面粘着剤塗付、厚さ５．０ｍｍ）、および、ＮＫ５（両面ケント紙貼り、厚さ５．０ｍｍ）の３種を用いて実施した。
【００２０】
情報媒体貼着層２は、基材樹脂シート３とその上に積層した発泡樹脂層４で構成される。基材樹脂シート３は、均一な厚みの発泡樹脂層４を安定した状態で存在させるために必要なものである。基材樹脂シート３を構成する樹脂材料としては、例として、ポリスチレン系樹脂、ポリエチレン系、ポリプロピレン系樹脂、アクリル系樹脂等を挙げることができる。基材樹脂シート３の厚みは、５〜１０００μｍ程度であってよい。
【００２１】
発泡樹脂層４は、−５０〜０℃のガラス転移温度を持つ合成樹脂で構成されており、かつ表面に直径５〜１００μｍの陥没孔を１００〜１０００個／ｍｍ２の割合で有するものであればよく、詳細には、前記した特許文献２に記載される。
【００２２】
〔ガラス転移温度の測定方法〕
ＪＩＳ  Ｋ７１２１：１９８７「プラスチックの転移温度測定方法」に記載の方法により測定する。また、試験片の状態調節は、「一定の熱処理を行った後、ガラス転移温度を測定する場合」で測定する。即ち、示差走査熱量計装置ＤＳＣ２００型（セイコー電子工業社製）を用いる。測定容器に試料１０ｍｇを充填する。窒素ガス流量３０ｍｌ／分の条件で、１０℃／分の昇温速度で昇温して、１０分間保持する。その後、試料を５℃／分の冷却速度で急冷する熱処理を行う。次に、窒素ガス流量３０ｍｌ／分の条件で、１０℃／分の昇温速度で昇温し、ガラス転移温度を測定し、得られる中間点ガラス転移温度をガラス転移点とする。
【００２３】
〔陥没孔の測定方法〕
陥没孔の直径及び個数割合は、発泡樹脂層の表面を光学顕微鏡にて観察して測定した。
発泡樹脂層４は、その情報媒体貼着面である表面に陥没孔を有している。陥没孔は、発泡樹脂層中の気泡が表面に現れたものであり、ミクロ吸盤として機能する。本考案で使用される発泡樹脂層４は、表面に直径５〜１００μｍの陥没孔を１００〜１０００個、好ましくは２００〜３００個の割合で有するものである。特に、直径５〜１００μｍの陥没孔のうち、２０〜３０μｍのものが８割以上であるものが特に好ましい。直径が小さい陥没孔が多いとミクロ吸盤としての吸着性に劣り、逆に大きい陥没孔が多いと均一に吸着しない場合がある。また、単位面積当たりの陥没孔が少なすぎると吸着性が劣り、逆に多すぎると均一に吸着しない場合がある。
【００２４】
発泡樹脂層４を構成する合成樹脂としては、−５０〜０℃（好ましくは−４５〜−１０℃、より好ましくは−４０〜−２５℃）のガラス転移温度（Ｔｇ）を持つ合成樹脂であれば特に限定されない。Ｔｇの低い柔らかい合成樹脂を用いることにより、吸着性を発現させることが可能な発泡樹脂層４を形成することができる。−５０〜０℃のＴｇを持つ合成樹脂としては、アクリル系樹脂、ポリエチレン系樹脂、塩化ビニル系樹脂、ウレタン系樹脂などが挙げられる。発泡樹脂層４は、単層で形成してもよいし、あるいは多層で形成してもよい。発泡樹脂層４の厚みは、用途に合わせればよく、好ましくは２５〜１０００μｍ、より好ましくは５０〜３００μｍである。
【００２５】
発泡樹脂層４を基材樹脂シート３に積層する方法は、特に限定されず、例えば、予め製造しておいた発泡樹脂層４と基材樹脂シート３とを、間に接着剤を介在させて両者を積層する方法が挙げられる。接着剤としては、ウレタン系接着剤、アクリル系接着剤などが挙げられる。
【００２６】
本考案の実施に当たり、本願出願人は、情報媒体貼着層２として、ゼオン化成社製ゼオンＡＬシート、および、ユポ・コーポレーション社製ユポ・サクションタックの２種を用いて実施した。
【００２７】
剥離フィルム５は、非使用時での発泡樹脂層４を保護するためのものであり、例えば、ポリエチレンフィルム、塩化ビニルフィルム、ポリメチルペンテンフィルムなどが挙げられる。剥離フィルム５の厚みは、好ましくは１０〜１０００μｍである。剥離フィルム５の厚さが薄すぎると、剥離フィルム５を剥離する際に破断することがあり、１０００μｍを超えるのはオーバースペックである。剥離フィルム５が透明な無色で透明な樹脂フィルムまたは有色で半透明な樹脂フィルムであることは好ましく、この場合には、剥離フィルム５を展示または掲示パネル用台板Ａに貼着した情報媒体１０に対する保護シートとしても用いることができる。
【００２８】
図２は、図１に示した展示または掲示パネル用台板Ａを用いた展示または掲示パネルＢの一例を示している。この例では、矩形状である展示または掲示パネル用台板Ａの４周に枠材６が嵌めこまれている。そして、前記剥離フィルム５は、前記発泡樹脂層４の前記枠材６で覆われていない領域を覆うようにして、発泡樹脂層４の上に積層されている。使用に当たっては、最初に、剥離フィルム５を剥離する。剥離したことで表面が露出した状態となった発泡樹脂層４の上に、適宜の情報媒体１０を配置し、軽く押し付ける。それにより、情報媒体１０の展示または掲示のための展示または掲示パネルＢが完成する。剥離フィルム５が無色で透明な樹脂フィルムまたは有色で半透明な樹脂フィルムである場合には、情報媒体１０を貼り付けた後に、再度、剥離フィルム５を当初の位置に貼り付ける。それにより、情報媒体１０に記載された写真情報や文字情報等の読み取りを妨げることなく、情報媒体１０が保護されるとともに、情報媒体１０が貼着されていない発泡樹脂層４の領域に異物が付着するのを回避することができる。
【符号の説明】
【００２９】
Ａ…展示または掲示パネル用台板、Ｂ…展示または掲示パネル、１…発泡樹脂板、２…情報媒体貼着層、３…基材樹脂シート、４…発泡樹脂層、５…剥離フィルム。
【手続補正２】
【補正対象書類名】実用新案登録請求の範囲
【補正対象項目名】全文
【補正方法】変更
【補正の内容】
【実用新案登録請求の範囲】
【請求項１】
基材である発泡樹脂板の少なくとも一方の面に情報媒体貼着層を積層した展示または掲示パネル用台板であって、前記情報媒体貼着層は、基材樹脂シートとその上に積層された発泡樹脂層とを有し、前記発泡樹脂層は、−５０〜０℃のガラス転移温度を持つ合成樹脂で構成されており、かつ表面に直径５〜１００μｍの陥没孔を１００〜１０００個／ｍｍ２の割合で有するものであり、前記情報媒体貼着層は前記基材樹脂シート側を前記発泡樹脂板側として積層されており、前記発泡樹脂層側が情報媒体貼着面として用いられることを特徴とする展示または掲示パネル用台板。
【請求項２】
前記発泡樹脂層の上に剥離フィルムが積層されていることを特徴とする請求項１に記載の展示または掲示パネル用台板。
【請求項３】
前記剥離フィルムが無色で透明な樹脂フィルムまたは有色で半透明な樹脂フィルムであることを特徴とする請求項２に記載の展示または掲示パネル用台板。
【請求項４】
請求項１に記載の展示または掲示パネル用台板または請求項２または３に記載の展示または掲示パネル用台板から剥離フィルムを除去した展示または掲示パネルまたは掲示用台板における前記発泡樹脂層の表面に、展示用の写真やポスター、掲示用の印刷物やメモなどの情報媒体を貼着した展示または掲示パネル。